【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
ブラシ基体に形成されている溝に、複数本の刷毛を束ねると共に揺動自在のコイルスプリングから形成された筒状体に収納した刷毛束を任意の間隔で複数植え付けてなる構成であり、
前記ブラシ基体が、研磨時にコイルスプリング及び刷毛束の揺動だけでなくブラシ基体も揺動する金属製又は合成樹脂製の如き弾力材製の長尺状体を螺旋状に巻き回した筒体であり、
刷毛束が複数植え付けられる溝が、前記筒体の外周面となる前記長尺状体の外周面に沿って形成されている構成であること、
を特徴とする強度補強ブラシ。
【請求項２】
前記ブラシ基体に、持ち手となる柄が取り付けられることを特徴とする請求項１に記載の強度補強ブラシ。
【請求項３】
前記コイルスプリングが、該コイルスプリングの少なくとも頭部では前記刷毛束が非密集状態で収納されており、
前記コイルスプリングの巻き形状が、少なくとも頭部では四角形その他の多角形であること、
を特徴とする請求項１又は２に記載の強度補強ブラシ。
【請求項４】
前記コイルスプリングが、該コイルスプリングの少なくとも頭部では前記刷毛束が非密集状態で収納されており、
前記コイルスプリングの巻き形状が、四角形その他の多角形であること、
を特徴とする請求項１又は２に記載の強度補強ブラシ。
【請求項５】
前記コイルスプリングの直径が、該コイルスプリングの根元部より先端部方向に向かって次第に拡開している構成であることを特徴とする請求項１〜４のいずれかに記載の強度補強ブラシ。
【請求項６】
前記コイルスプリングの直径が、該コイルスプリングの根元部より頭部を除く位置まで次第に拡開している構成であることを特徴とする請求項１〜４のいずれかに記載の強度補強ブラシ。
【請求項７】
前記コイルスプリングの頭部に、隣接するコイル部が密着している密着コイル部を有し、
前記コイルスプリングの他の部分は、隣接するコイル部が離開している粗コイル部であること、
を特徴とする請求項１〜６のいずれかに記載の強度補強ブラシ。
【請求項８】
（１）前記コイルスプリングの密着コイル部が、又は（２）前記コイルスプリングの密着コイル部と該密着コイル部に連続する粗コイル部の一部が、ゴム、エラストマー、熱可塑性樹脂又は熱硬化性樹脂である樹脂であって軟質性のもの（以下「軟質性樹脂」という。）で被覆された構成であることを特徴とする請求項７に記載の強度補強ブラシ。
【請求項９】
前記密着コイル部が、２〜７巻きのコイルから構成されていることを特徴とする請求項７又は８に記載の強度補強ブラシ。
【請求項１０】
前記粗コイル部が、少なくとも１巻きのコイルから構成されていることを特徴とする請求項７〜９のいずれかに記載の強度補強ブラシ。
【請求項１１】
前記刷毛束が、径の異なる少なくとも２種類の刷毛を束ねて構成されていることを特徴とする請求項１〜１０のいずれかに記載の強度補強ブラシ。
【請求項１２】
任意の間隔で複数植え付けられる各刷毛束を収納する各コイルスプリングの一方向に隣接する頭部同士が、該頭部の四角形その他の多角形の面同士で接触するように、前記各刷毛束が植え付けられていることを特徴とする請求項１〜１１のいずれかに記載の強度補強ブラシ。
【請求項１３】
請求項１〜１２のいずれかに記載の強度補強ブラシを用い、該強度補強ブラシの複数本の刷毛を束ねた刷毛束が、これを囲むコイルスプリングによって揺動しながら、バリ取り・研磨・清掃を行うことを特徴とするバリ取り・研磨・清掃方法。
【手続補正２】
【補正対象書類名】明細書
【補正対象項目名】００１２
【補正方法】変更
【補正の内容】
【００１２】
１．ブラシ基体に形成されている溝に、複数本の刷毛を束ねると共に揺動自在のコイルスプリングから形成された筒状体に収納した刷毛束を任意の間隔で複数植え付けてなる構成であり、
前記ブラシ基体が、研磨時にコイルスプリング及び刷毛束の揺動だけでなくブラシ基体も揺動する金属製又は合成樹脂製の如き弾力材製の長尺状体を螺旋状に巻き回した筒体であり、
刷毛束が複数植え付けられる溝が、前記筒体の外周面となる前記長尺状体の外周面に沿って形成されている構成であること、
を特徴とする強度補強ブラシ。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
２．前記ブラシ基体に、持ち手となる柄が取り付けられることを特徴とする上記１に記載の強度補強ブラシ。
【手続補正６】
【補正対象書類名】明細書
【補正対象項目名】００１６
【補正方法】変更
【補正の内容】
【００１６】
３．前記コイルスプリングが、該コイルスプリングの少なくとも頭部では前記刷毛束が非密集状態で収納されており、
前記コイルスプリングの巻き形状が、少なくとも頭部では四角形その他の多角形であること、
を特徴とする上記１又は２に記載の強度補強ブラシ。
【手続補正７】
【補正対象書類名】明細書
【補正対象項目名】００１７
【補正方法】変更
【補正の内容】
【００１７】
４．前記コイルスプリングが、該コイルスプリングの少なくとも頭部では前記刷毛束が非密集状態で収納されており、
前記コイルスプリングの巻き形状が、四角形その他の多角形であること、
を特徴とする請求項１又は２に記載の強度補強ブラシ。
【手続補正８】
【補正対象書類名】明細書
【補正対象項目名】００１８
【補正方法】変更
【補正の内容】
【００１８】
５．前記コイルスプリングの直径が、該コイルスプリングの根元部より先端部方向に向かって次第に拡開している構成であることを特徴とする上記１〜４のいずれかに記載の強度補強ブラシ。
【手続補正９】
【補正対象書類名】明細書
【補正対象項目名】００１９
【補正方法】変更
【補正の内容】
【００１９】
６．前記コイルスプリングの直径が、該コイルスプリングの根元部より頭部を除く位置まで次第に拡開している構成であることを特徴とする上記１〜４のいずれかに記載の強度補強ブラシ。
【手続補正１０】
【補正対象書類名】明細書
【補正対象項目名】００２０
【補正方法】変更
【補正の内容】
【００２０】
７．前記コイルスプリングの頭部に、隣接するコイル部が密着している密着コイル部を有し、
前記コイルスプリングの他の部分は、隣接するコイル部が離開している粗コイル部であること、
を特徴とする上記１〜６のいずれかに記載の強度補強ブラシ。
【手続補正１１】
【補正対象書類名】明細書
【補正対象項目名】００２１
【補正方法】変更
【補正の内容】
【００２１】
８．（１）前記コイルスプリングの密着コイル部が、又は（２）前記コイルスプリングの密着コイル部と該密着コイル部に連続する粗コイル部の一部が、ゴム、エラストマー、熱可塑性樹脂又は熱硬化性樹脂である樹脂であって軟質性のもの（以下「軟質性樹脂」という。）で被覆された構成であることを特徴とする上記７に記載の強度補強ブラシ。
【手続補正１２】
【補正対象書類名】明細書
【補正対象項目名】００２２
【補正方法】変更
【補正の内容】
【００２２】
９．前記密着コイル部が、２〜７巻きのコイルから構成されていることを特徴とする上記７又は８に記載の強度補強ブラシ。
【手続補正１３】
【補正対象書類名】明細書
【補正対象項目名】００２３
【補正方法】変更
【補正の内容】
【００２３】
１０．前記粗コイル部が、少なくとも１巻きのコイルから構成されていることを特徴とする上記７〜９のいずれかに記載の強度補強ブラシ。
【手続補正１４】
【補正対象書類名】明細書
【補正対象項目名】００２４
【補正方法】変更
【補正の内容】
【００２４】
１１．前記刷毛束が、径の異なる少なくとも２種類の刷毛を束ねて構成されていることを特徴とする上記１〜１０のいずれかに記載の強度補強ブラシ。
【手続補正１５】
【補正対象書類名】明細書
【補正対象項目名】００２５
【補正方法】変更
【補正の内容】
【００２５】
１２．任意の間隔で複数植え付けられる各刷毛束を収納する各コイルスプリングの一方向に隣接する頭部同士が、該頭部の四角形その他の多角形の面同士で接触するように、前記各刷毛束が植え付けられていることを特徴とする上記１〜１１のいずれかに記載の強度補強ブラシ。
【手続補正１６】
【補正対象書類名】明細書
【補正対象項目名】００２６
【補正方法】変更
【補正の内容】
【００２６】
１３．上記１〜１２のいずれかに記載の強度補強ブラシを用い、該強度補強ブラシの複数本の刷毛を束ねた刷毛束が、これを囲むコイルスプリングによって揺動しながら、バリ取り・研磨・清掃を行うことを特徴とするバリ取り・研磨・清掃方法。
【手続補正１７】
【補正対象書類名】明細書
【補正対象項目名】００２８
【補正方法】変更
【補正の内容】
【００２８】
特に、ブラシ基体が金属製又は合成樹脂製の如き弾力材製の長尺状体を螺旋状に巻き回した筒体であることにより、研磨時にコイルスプリング及び刷毛束の揺動だけでなくブラシ基体も揺動することになるので、しなやかさ・柔軟性がより向上することになる。従って、研磨性がより向上することになるので、作業性が良好となる。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
請求項２に示す発明によれば、持ち手となる柄を取り付けることで補強ブラシ本体そのものを直接手に持つことなく研磨作業を行うことができる。尚、持ち手無しの状態であってもタワシのように使うことができる。
【手続補正２０】
【補正対象書類名】明細書
【補正対象項目名】００３３
【補正方法】変更
【補正の内容】
【００３３】
請求項３に示す発明によれば、コイルスプリングの巻き形状が四角形その他の多角形であることにより、コイルスプリング内の刷毛束は研磨時に研磨方向両側に逃げるように分離して中央部分に空隙が生じてしまうことがなく、研磨方向前方に空隙が生じる程度である。これは、コイルスプリングが円筒形の場合ではコイルスプリングの内側が形成する丸い内壁に沿って刷毛束が外寄りに逃げてしまうことで研磨方向の両側に分離してしまうのに対し、コイルスプリングの巻き形状を四角形その他の多角形とすることで、四角形その他の多角形の各角部分が、コイルスプリング内で移動する各刷毛が研磨方向両側に逃げてしまうのを防止するストッパーとして作用するためである。
従って、コイルスプリングに収納された刷毛束の密集度に高低が生じることが無く、均一な密集度による研磨が可能となる。
【手続補正２１】
【補正対象書類名】明細書
【補正対象項目名】００３４
【補正方法】変更
【補正の内容】
【００３４】
請求項４に示す発明によれば、コイルスプリングの巻き形状が全体に亘って四角形その他の多角形であることにより、コイルスプリング内の刷毛束は研磨時に研磨方向両側に逃げるように分離して中央部分に空隙が生じてしまうことがなく、研磨方向前方に空隙が生じる程度である。コイルスプリングの巻き形状を四角形その他の多角形とすることで、四角形その他の多角形の各角部分が、コイルスプリング内で移動する各刷毛が研磨方向両側に逃げてしまうのを防止するストッパーとして刷毛束の根元部から先端まで作用するためである。
従って、コイルスプリングに収納された刷毛束の密集度に高低が生じることが無く、均一な密集度による研磨が可能となる。
【手続補正２２】
【補正対象書類名】明細書
【補正対象項目名】００３５
【補正方法】変更
【補正の内容】
【００３５】
請求項５又は６に示す発明によれば、刷毛束の先端部分における各刷毛の間隔を取ることができるので各刷毛が夫々点接触で鋭い刃物の切っ先のように被研磨面に接触することになると共に、各刷毛１本１本が３６０度全周方向に動きを規制されることなく揺動することができ、研磨性がより向上することになる。
【手続補正２３】
【補正対象書類名】明細書
【補正対象項目名】００３６
【補正方法】変更
【補正の内容】
【００３６】
請求項７に示す発明によれば、研磨作業時に、一方向の単なる往復動や回転運動だけでなく刷毛束の刷毛の先端を基点にする３６０度全周方向での弓なりに反りながらの激しい揺動運動や不規則な回転運動に対しても、刷毛束の刷毛の先がコイルスプリングの横から飛び出してしまうことを密着コイル部が未然に防止することができると共に、粗コイル部の伸縮自在の柔軟性によって刷毛束を柔軟性を有した状態で且つ該刷毛束のいわゆる腰とコイル部自体の腰を加えたいわゆる二枚腰の状態となって補助補強されるため、剛柔併せ持ったブラシとなるので、刷毛束の刷毛の破損が抑制され、研磨に際しても最も研磨性が高く効率の高い刷毛の鋭い先端での点接触研磨が被研磨面追従性の良好な状態で可能となる。即ち、研磨作業時に刷毛束が腰砕けの状態になるのを防ぎ、該刷毛束の先端が寝た状態となって刷毛束の先端ではなく腹部分で被研磨面を撫でているだけの状態に陥ることを抑制することができる。
よって、タイヤの深い溝、風呂タイルの目地、蛇腹風な物、鉄条網風な物の如き、形状・構造が複雑な物を清掃したときに隅々まで清掃可能となる。
【手続補正２４】
【補正対象書類名】明細書
【補正対象項目名】００３７
【補正方法】変更
【補正の内容】
【００３７】
請求項８に示す発明によれば、清掃効果や研磨効果等のブラシとしての効果を抑制することなく、使用時の対象物品の傷付きを防止することができる。また、コイルスプリングの製造工程で生じる該コイルスプリング巻き終わり端部の鋭利部分も軟質性樹脂で被覆することにより、該鋭利部分による対象物品の傷付きを防止することができるという付随的効果も得られる。
【手続補正２５】
【補正対象書類名】明細書
【補正対象項目名】００３８
【補正方法】変更
【補正の内容】
【００３８】
請求項９に示す発明によれば、刷毛束の刷毛の先がコイルスプリングの横から飛び出してしまうことを防ぐことができる。
【手続補正２６】
【補正対象書類名】明細書
【補正対象項目名】００３９
【補正方法】変更
【補正の内容】
【００３９】
請求項１０に示す発明によれば、スプリングコイルの密着コイル部が軟質性樹脂で被覆された構成である場合には、少なくとも１巻き部分が密着コイル部に被覆された軟質性樹脂の剥離防止用及び／又は脱落防止用のストッパーの役目を果たすので該軟質性樹脂の剥離や脱落を防止することができる。
【手続補正２７】
【補正対象書類名】明細書
【補正対象項目名】００４０
【補正方法】変更
【補正の内容】
【００４０】
請求項１１に示す発明によれば、荒い部分の清掃・研磨を行う太径の刷毛と、細かい部分の清掃・研磨を行う細径の刷毛が互いに幇助しながら研磨することができるので研磨性が良好となる。
【手続補正２８】
【補正対象書類名】明細書
【補正対象項目名】００４１
【補正方法】変更
【補正の内容】
【００４１】
請求項１２に示す発明によれば、螺旋状に巻き回した長尺状体の外周面の溝に植え付けられるコイルスプリングに収納した刷毛束は、一方向に隣接するコイルスプリングの頭部同士との間を隙間が生じることなく接触させることができるので、刷毛束の密集度が螺旋方向において高低が生じることが無く、螺旋方向において均一な密集度による研磨が可能となる。
【手続補正２９】
【補正対象書類名】明細書
【補正対象項目名】００４２
【補正方法】変更
【補正の内容】
【００４２】
請求項１３に示す発明によれば、対象物品を傷つけることなく、細部に亘るバリ取り・研磨・清掃作業を行うことができる。
【手続補正３０】
【補正対象書類名】明細書
【補正対象項目名】００８４
【補正方法】変更
【補正の内容】
【００８４】
以上、本発明に係る強度補強ブラシの一実施例について説明した。本発明の参考例について下記する。
【手続補正３１】
【補正対象書類名】明細書
【補正対象項目名】００８７
【補正方法】変更
【補正の内容】
【００８７】
図１５に示す参考例では、ブラシ基体５’が金属製・合成樹脂製・木製等の公知公用のブラシ基体と同様の材質から成る楕円形の板材等から形成されており、タワシのように手に持って研磨作業を行ったり、或いは持ち手となる柄を取付けた状態で使用することもできる。
【手続補正３２】
【補正対象書類名】明細書
【補正対象項目名】００８９
【補正方法】変更
【補正の内容】
【００８９】
図１６に示す参考例では、ブラシ基体５’が金属製・合成樹脂製・木製等の公知公用のブラシ基体と同様の材質から成り、刷毛束植え付け面５４と反対側が手で持ち易いような括れ部を有するグリップ形状を成すことにより、研磨作業の際に手に持ち易く馴染み易い形状となっている。尚、本実施例においても、持ち手となる柄を取付けた状態で使用することができる。
【手続補正３３】
【補正対象書類名】明細書
【補正対象項目名】００９４
【補正方法】変更
【補正の内容】
【００９４】
【図１】本発明に係る強度補強ブラシの一実施例を示す側面図
【図２】図１の右側面図
【図３】ブラシ基体を構成する長尺状体の一実施例を示す断面図
【図４】図３の長尺状体に刷毛束を植え付けた状態を示す断面図
【図５】ブラシ基体の他の実施例を示す側面図
【図６】ブラシ基体を構成する長尺状体の他の実施例を示す断面図
【図７】植え付けた状態を示す刷毛束及びコイルスプリングの拡大斜視図
【図８】コイルスプリングの拡開構成を示す拡大側面図
【図９】コイルスプリングの他の実施例を示す拡大側面図
【図１０】刷毛の拡大側面図
【図１１】コイルスプリング及び刷毛束の静止時及び研磨時の状態を説明する要部拡大平面図
【図１２】コイルスプリング及び刷毛束の他の実施例の静止時及び研磨時の状態を説明する要部拡大平面図
【図１３】一方向に隣接するコイルスプリングの頭部同士を面接触させた状態を示す要部拡大平面図
【図１４】図１３の他の実施例を示す要部拡大平面図
【図１５】本発明に係る強度補強ブラシの参考例を示す斜視図
【図１６】本発明に係る強度補強ブラシの参考例を示す斜視図